(57)【要約】【課題】シール剤の漏出を抑制しつつ、より確実に止水できるようにすること。【解決手段】複数の電線１２を束ねる工程と、束ねられた複数の電線１２に、その長手方向に沿って複数箇所でシール剤５０を供給する工程と、複数の電線１２のうちシール剤５０が供給された部分の外周囲にシート６０を巻付ける工程と、複数の電線１２のうちシート６０が巻付けられた部分をグロメット２０内に通す工程とを備える。シール剤５０を供給する工程において、複数箇所で供給されたシール剤５０同士がグロメット２０取付状態で分離状態を維持できる程度の量で、複数箇所においてシール剤５０を供給する。【選択図】図７
2012028114.tif 000002
【特許請求の範囲】
【請求項１】
(a)複数の電線を束ねる工程と、
(b)束ねられた前記複数の電線に、その長手方向に沿って複数箇所でシール剤を供給する工程と、
(c)前記複数の電線のうち前記シール剤が供給された部分の外周囲にシートを巻付ける工程と、
(e)前記複数の電線のうち前記シートが巻付けられた部分をグロメット内に通す工程と、
を備え、
前記工程(b)において、前記複数箇所で供給された前記シール剤同士が前記工程(e)後の状態で分離状態を維持できる程度の量で、前記複数箇所において前記シール剤を供給する、ワイヤーハーネスの止水部製造方法。
【請求項２】
請求項１記載のワイヤーハーネスの止水部製造方法であって、
前記工程(b)においてシール剤を供給する複数箇所のうちの少なくとも１つは、前記グロメットによって締付けられる箇所である、ワイヤーハーネスの止水部製造方法。
【請求項３】
請求項１又は請求項２記載のワイヤーハーネスの止水部製造方法であって、
前記シートは発泡シートである、ワイヤーハーネスの止水部製造方法。
【請求項４】
束ねられた複数の電線と、
束ねられた複数の電線に、その長手方向に沿って複数箇所で、かつ、相互間で分離した状態で、充填状に配設されたシール剤と、
前記複数の電線のうち前記シール剤が配設された部分の外周囲に巻付けられたシートと、
前記複数の電線のうち前記シートが巻付けられた部分が挿通されたグロメットと、
を備えるワイヤーハーネスの止水部。
【発明の詳細な説明】
【技術分野】
【０００１】
この発明は、ワイヤーハーネスをグロメットに通して止水する技術に関する。
【背景技術】
【０００２】
従来、この種の止水技術として、特許文献１に開示のものがある。
【０００３】
特許文献１では、一列に並列させた電線群に対して止水剤を塗布した後、その塗布部分にフィルムを被せて電線群を断面円形に丸めている。また、丸められた電線群の外周囲にテープを巻付けた後、当該電線群をグロメット内に通している。この特許文献１には、複数のノズルによって止水剤を塗布することによって、所定の防水区間全域に止水剤を塗布する技術も開示されている。
【先行技術文献】
【特許文献】
【０００４】
【特許文献１】特開平１０−１３５６５７号公報
【発明の概要】
【発明が解決しようとする課題】
【０００５】
しかしながら、特許文献１に開示の技術では、複数のノズルによって塗布された止水剤は、最終的に繋がって所定の防水区間全域に塗布されるようになっている。このため、止水剤の供給過多等が原因で、止水剤が止水箇所から漏れ出てしまう恐れがある。
【０００６】
そこで、本発明は、シール剤の漏出を抑制しつつ、より確実に止水できるようにすることを目的とする。
【課題を解決するための手段】
【０００７】
上記課題を解決するため、第１の態様に係るワイヤーハーネスの止水部製造方法は、(a)複数の電線を束ねる工程と、(b)束ねられた前記複数の電線に、その長手方向に沿って複数箇所でシール剤を供給する工程と、(c)前記複数の電線のうち前記シール剤が供給された部分の外周囲にシートを巻付ける工程と、(e)前記複数の電線のうち前記シートが巻付けられた部分をグロメット内に通す工程とを備え、前記工程(b)において、前記複数箇所で供給された前記シール剤同士が前記工程(e)後の状態で分離状態を維持できる程度の量で、前記複数箇所において前記シール剤を供給する。
【０００８】
第２の態様は、第１の態様に係るワイヤーハーネスの止水部製造方法であって、前記工程(b)においてシール剤を供給する複数箇所のうちの少なくとも１つは、前記グロメットによって締付けられる箇所である。
【０００９】
第３の態様は、第１又は第２の態様に係るワイヤーハーネスの止水部製造方法であって、前記シートが発泡シートとされている。
【００１０】
第４の態様に係るワイヤーハーネスの止水部は、束ねられた複数の電線と、束ねられた複数の電線に、その長手方向に沿って複数箇所で、かつ、相互間で分離した状態で、充填状に配設されたシール剤と、前記複数の電線のうち前記シール剤が配設された部分の外周囲に巻付けられたシートと、前記複数の電線のうち前記シートが巻付けられた部分が挿通されたグロメットとを備える。
【発明の効果】
【００１１】
第１の態様によると、前記工程(b)において、前記複数箇所で供給された前記シール剤同士が前記工程(e)後の状態で分離状態を維持できる程度の量で、前記複数箇所において前記シール剤を供給するため、シール剤の漏出を抑制することができる。また、それぞれのシール剤の供給箇所で止水を図ることができるため、より確実に止水できる。
【００１２】
第２の態様によると、グロメットによって締付けられる箇所にシール剤を供給しているため、止水をより確実に行うことができる。
【００１３】
第３の態様によると、グロメットと電線との隙間をなるべく小さくすることができる。
【００１４】
第４の態様によると、束ねられた複数の電線に、その長手方向に沿って複数箇所で、かつ、相互間で分離した状態で、充填状に配設されたシール剤を備えているため、シール剤の漏出を抑制することができる。また、それぞれのシール剤の供給箇所で止水を図ることができるため、より確実に止水できる。
【図面の簡単な説明】
【００１５】
【図１】ワイヤーハーネスの止水部製造方法の一工程を示す説明図である。
【図２】ワイヤーハーネスの止水部製造方法の一工程を示す説明図である。
【図３】ワイヤーハーネスの止水部製造方法の一工程を示す説明図である。
【図４】ワイヤーハーネスの止水部製造方法の一工程を示す説明図である。
【図５】ワイヤーハーネスの止水部製造方法の一工程を示す説明図である。
【図６】ワイヤーハーネスの止水部製造方法の一工程を示す説明図である。
【図７】グロメットによる締付け箇所とシール剤の供給箇所との位置関係例を示す概略図である。
【発明を実施するための形態】
【００１６】
以下、実施形態に係るワイヤーハーネスの止水部製造方法及びワイヤーハーネスの止水部について説明する。図１〜図６はワイヤーハーネスの止水部製造方法に係る各工程を示す説明図である。
【００１７】
ここで、ワイヤーハーネス１０及び当該ワイヤーハーネス１０に装着されるグロメット２０について説明しておく。
【００１８】
ワイヤーハーネス１０は、複数の電線１２を束ねることにより構成されている。図１〜図６では、複数の電線１２が１つに束ねられた箇所にグロメット２０が装着される例を示している。ワイヤーハーネス１０の他の部分では、複数の電線が適宜分岐されていてもよい。
【００１９】
グロメット２０は、エラストマー（ゴム等）の弾性を有する材料によって形成された部材であり、車体装着部２２と、電線挿通部２４とを備えている。
【００２０】
車体装着部２２は、一端側から他端側に向けて順次縮径する断面円形状に形成されている。車体装着部２２の拡径側端部の外周には、その周方向に沿って係止溝２３が形成されている。そして、本グロメット２０の取付対象となる取付パネル４０に形成された取付孔４２の周縁部が係止溝２３に嵌め込まれることによって、本グロメット２０が取付パネル４０に取付けられる。なお、グロメット２０の取付対象となる取付パネル４０としては、浸水領域（例えば、エンジンルーム）と非浸水領域（例えば、車室内）とを区分するパネルが想定されている。
【００２１】
電線挿通部２４は、車体装着部２２の縮径側端部に連続する円筒状に形成されている。電線挿通部２４の内周部は、ワイヤーハーネス１０の外周に密着可能な程度の径、より具体的には、ワイヤーハーネス１０の断面の外形に最小径で接する最小包含円の径よりも小さい径に形成されている。そして、ワイヤーハーネス１０が電線挿通部２４内に挿通された状態で、電線挿通部２４の弾性力によって電線挿通部２４の内周部がワイヤーハーネス１０の外周部に密着状に押付けられ、当該ワイヤーハーネス１０が締付けられるようになっている。
【００２２】
なお、電線挿通部２４から車体装着部２２側に向けて固定片２８が延設されている。この固定片２８は、本グロメット２０をワイヤーハーネス１０に装着する際に、粘着テープを巻付け固定するための部分として供される。この固定片２８は省略されていてもよい。
【００２３】
そして、上記グロメット２０にワイヤーハーネス１０が挿通された状態で、ワイヤーハーネス１０が取付パネル４０に形成された取付孔４２に通されると共に、グロメット２０が当該取付孔４２に取付けられる。この状態では、取付孔４２の大部分がグロメット２０自体によって塞がれることで、止水が図られている。また、取付孔４２の周縁部が係止溝２３に嵌め込まれることによって、グロメット２０と取付孔４２との止水が図られている。また、グロメット２０の電線挿通部２４がワイヤーハーネス１０に密着する構成及びワイヤーハーネス１０に充填状に配設されたシール剤５０によってグロメット２０内で止水が図られている。
【００２４】
かかるワイヤーハーネス１０の止水部製造方法について説明する。
【００２５】
まず、図１に示すように、複数の電線１２を束ねる。電線１２は、作業者の手によって束ねた状態に維持されても、別途治具等を用いて束ねた状態に維持されてもよい。
【００２６】
次に、図２に示すように、複数の電線１２を束ねたワイヤーハーネス１０のうちグロメット２０の取付予定領域を挟む部分に粘着テープ４６を巻付ける。これにより、ワイヤーハーネス１０を円形状に束ねた状態が維持される。もっとも、本工程は省略されてもよい。また、本工程は、次のシール剤の供給工程後に行われてもよい。
【００２７】
次に、図３に示すように、ワイヤーハーネス１０のうちグロメット２０の取付予定領域を含む領域（ここでは、２箇所の粘着テープ巻付箇所の間の領域）に、その長手方向に沿って複数箇所でシール剤５０を供給する。シール剤としては、シリコーン等、複数の電線１２間に充填状に行渡ることが可能な流動性及び複数の電線１２間から容易に垂れ落ちない程度の粘度を有する各種材料を用いることができる。また、シール剤５０を供給する位置及び間隔については特に限定はない。しかしながら、各箇所におけるシール剤５０の供給量は、ワイヤーハーネス１０がグロメット２０に挿通された状態で、複数箇所で供給されたシール剤５０同士が分離状態を維持できる程度の量に設定されている。各箇所に供給されたシール剤５０同士が分離状態である態様には、各箇所のシール剤５０同士が完全に分離している場合だけではなく、各箇所のシール剤５０同士が部分的には繋がっているが他の部分では隙間が存在しており、全体としてみると別箇所と認識できる程度に分離している場合を含む。なお、各箇所で供給されたシール剤５０同士が分離状態を維持できる程範囲内であれば、各箇所での止水をより確実にするため、各箇所におけるシール剤５０の供給量はなるべく多い方が好ましい。実際どの程度の量のシール剤を供給すればよいかについては、実験的、経験的判断に決定することができる。通常、各箇所間の距離が小さければ小さい程、シール剤の供給量を少なくする必要があり、ワイヤーハーネス１０に含まれる電線１２の本数が少なければ少ないほどシール剤５０の供給量を少なくする必要がある。また、各箇所間の距離が大きければ大きいほど、シール剤の供給量を多くすることが好ましく、また、ワイヤーハーネス１０に含まれる電線１２の本数が多ければ多いほどシール剤５０の供給量を多くすることが好ましい。
【００２８】
なお、シール剤５０を供給する際、複数の電線１２は円形状に束ねられている必要はなく、並列状に整列されていてもよい。もっとも、複数の電線１２が円形状に束ねられたワイヤーハーネス１０に対してシール剤５０を供給すると、次のメリットがある。すなわち、複数の電線を並列状に整列すると、その整列方向両側の電線は整列方向中央の電線に比べて、長くなってしまう。すると、シール剤を塗布した後に、電線を円形状に束ねると、一部の電線が他の電線よりも長くなってしまう。これによる余長を吸収しつつ、ワイヤーハーネス１０にシート６０を巻付けると、電線１２にうねりが生じたり、また、電線１２間に隙間が生じてしまうことがあり、品質低下を招く恐れがある。これに対して、複数の電線１２が円形状に束ねられたワイヤーハーネス１０に対してシール剤５０を供給すると、上記のような余長は発生し難く、従って、電線１２のうねり、隙間等が抑制される。このため、比較的品質に優れた止水部を得ることができる。
【００２９】
この後、図４に示すように、ワイヤーハーネス１０のうちシール剤５０が供給された部分の外周囲にシート６０を巻付ける。シート６０としては、ゴム発泡シート、ウレタン発泡シート等の発泡シートを用いるとよい。これにより、グロメット２０の電線挿通部２４及びワイヤーハーネス１０に対するシートの密着性をよくすることができ、グロメット２０とワイヤーハーネス１０との間の隙間をなるべく小さくすることができるからである。また、この場合の発泡シートは、多数の気泡が相互に独立しているシートであることが好ましい。シート６０における水の浸透を抑制するためである。
【００３０】
次に、図５に示すように、シート６０の両端部に粘着テープ６２を巻付ける。これにより、シート６０をワイヤーハーネス１０に巻付けた状態が維持される。もっとも、本工程は省略されてもよい。この場合、シート６０自体に粘着性を付与し、自身の粘着力によってシート６０がワイヤーハーネス１０に巻付けられた状態が維持されるようにするとよい。
【００３１】
そして、図６に示すように、ワイヤーハーネス１０のうちシート６０が巻付けられた部分をグロメット２０の電線挿通部２４内に通す。この後、電線挿通部２４、固定片２８及びワイヤーハーネス１０の外周囲に、粘着テープを巻付けて、グロメット２０をワイヤーハーネス１０の所定位置に固定する。これにより、ワイヤーハーネス１０に対するグロメット２０の装着が完了する。
【００３２】
このように構成されたワイヤーハーネス１０の止水部では、グロメット２０に挿通されたワイヤーハーネス１０部分において、束ねられた複数の電線１２にその長手方向に沿って複数箇所でシール剤５０が充填状に配設されており、それぞれの箇所のシール剤５０は相互に分離した状態とされている。
【００３３】
そして、本ワイヤーハーネス１０の止水部が取付パネル４０の取付孔４２に取付けられた状態では、グロメット２０内部において、複数箇所のシール剤５０によってワイヤーハーネス１０を伝った水の浸入が抑制されることとなる。
【００３４】
以上のように構成されたワイヤーハーネス１０の止水部及びその製造方法によると、各箇所におけるシール剤５０の供給量が、グロメット２０への組付状態において、分離状態を維持できる程度の量に設定されている。このため、偶発的な供給位置のずれ、或は偶発的な過剰供給等が生じても、余分なシール剤５０は各供給箇所間に充填され、外部に漏出し難い。これにより、シート６０の巻付作業時、グロメット２０への挿通作業時等において、シール剤５０の漏出を抑制することができる。その結果、漏出分を考慮せずに、止水部におけるシール剤５０の使用量を把握することができ、止水部の止水能力管理が容易になる。
【００３５】
しかも、それぞれのシール剤５０の供給箇所で止水を図ることができるため、より確実な止水を図ることができる。例えば、各止水箇所における止水確率が９０％であると想定できる場合、２つの止水箇所により９９．０％、３つの止水箇所により９９．９％の止水確率を得ることができると考えられる。
【００３６】
また、複数箇所で止水を図るため、全体的な止水能力を安定化させることができる。その結果、シート６０を巻付けた後にワイヤーハーネス１０を手で揉む等してシール剤５０を各電線１２間に行渡らせる作業等をしなくとも、安定した止水能力を得ることができる。もっとも、シート６０を巻付けた後にワイヤーハーネス１０を手で揉む等してシール剤５０を各電線１２間に行渡らせる作業等を行ってもよい。
【００３７】
また、上記製造方法は、特殊な設備が無くとも実施可能であり、従来の設備を流用した実施が可能であるというメリットがある。
【００３８】
図７はグロメット２０による締付け箇所とシール剤５０の供給箇所との好ましい位置関係を示す概略図である。なお、本図では、固定片２８は省略されている。また、電線挿通部２４の先端部周辺に粘着テープ７０が巻付けられている。この図に示すように、シール剤５０を供給する複数箇所のうちの少なくとも１つは、グロメット２０によって締付けられる箇所（電線挿通部２４に通される箇所）であることが好ましい。ワイヤーハーネス１０のうちシール剤５０の供給箇所をグロメット２０によって締付けると、その締付け力によってシール剤５０がより確実に電線１２間に行渡り、より確実な止水が図られるからである。
【００３９】
また、３つ以上のシール剤５０の供給箇所のうち両端を除く供給箇所が、グロメット２０によって締付けられていることが好ましい。グロメット２０の締付けによって押出されたシール剤５０が外部に漏れることを抑制するためである。
【００４０】
以上のようにこのワイヤーハーネス１０の止水部及びその製造方法は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４１】
１０  ワイヤーハーネス
１２  電線
２０  グロメット
２２  車体装着部
２４  電線挿通部
４０  取付パネル
４２  取付孔
５０  シール剤
６０  シート
【図１】
2012028114.tif 000003
【図２】
2012028114.tif 000004
【図３】
2012028114.tif 000005
【図４】
2012028114.tif 000006
【図５】
2012028114.tif 000007
【図６】
2012028114.tif 000008
【図７】
2012028114.tif 000009